(57)【特許請求の範囲】
【請求項１】
商品収納部と商品収納部よりも上方に突出する突出ラベルを有する容器を収納する突出ラベル付き容器収納箱であって、上面開口状の箱本体と、この箱本体の開口部を開閉自在に蓋する蓋体とからなり、蓋体は上記箱本体の上面開口部の一辺から連設され、その先端には箱本体を閉鎖する閉鎖片が連設され、閉鎖片の先端には上記突出ラベルを回避するラベル回避部と突出ラベル付き容器の上面を面で抑える抑え部とを備える容器抑え片を有するとともに、上記閉鎖片の先端辺から閉鎖片が伸びる方向と同一の方向に伸びて上記容器抑え片と略直角に位置するように構成された容器抑え片の滑りを防止する滑り防止片も有することを特徴とする突出ラベル付き容器収納箱。
【請求項２】
前記突出ラベル付き容器収納箱には、閉鎖保持手段を有する請求項１に記載の突出ラベル付き容器収納箱。
【請求項３】
前記閉鎖保持手段が、蓋体と箱本体の胴部とに設けられている請求項２に記載の突出ラベル付き容器収納箱。
【請求項４】
前記閉鎖保持手段が、蓋体と箱本体上面開口部の蓋体と異なる辺に設置したフラップとに設けられている請求項２に記載の突出ラベル付き容器収納箱。
【発明の詳細な説明】
【技術分野】
【０００１】
本願発明は、化粧品や食品を個装する容器の内、商品の広告や吊下げ等を目的として、商品収納部からはみ出した形で容器の一部を突出させている容器や、商品収納部より突出させた形でラベルシールが貼り付けられている容器、を収納して輸送に用いる収納箱に関する。
【背景技術】
【０００２】
従来から化粧品や日用品，食品の個装容器では、店頭での陳列の際、商品の宣伝広告効果を高める事を目的として、商品名や価格・キャッチフレーズ等を、その容器の商品収納部からはみ出した形で箱を形成したり、ラベルシールを商品収納部からはみ出して貼付けたりする事が行われている。また個装容器を吊下げるための孔の設置するために上記と同様、商品収納部からはみ出した形で箱を形成する事もある（以降、当該形態の表示・広告部分や吊下げ孔設置部位を『突出ラベル』と呼ぶ）。
これらの突出ラベルは、その容器の商品収納部内に収まる形で貼り付けられるラベルや装飾とは異なり、容器から立体的に飛び出す効果があり、消費者の視覚に訴えるキャッチアイ効果が期待出来るという意味で非常に優れたものである（例えば特許文献１図２参照）。更に吊下げ陳列する場合には商品収納部から突出した部分に孔を設けるのが通常である（例えば特許文献２図９参照）。
【０００３】
これらの商品をメーカーから店頭へ輸送する際に、容器複数個を箱に収納した形態にするが、突出ラベルが存在するため箱の上部に空間が発生じてしまい輸送の振動により突出ラベルが損傷するという事態が発生する。またこの事態を抑制するために、突出ラベルを予め曲げておき店頭に並べる際に起こして陳列したり、突出部分を容器内に没入させ、店頭にて引き出して陳列したり（特許文献２参照）、または振動を抑えるための部材を別途用意して商品の振動を抑えたりした。
また図２３及び図２４に示す様に、突出ラベル付き容器の商品収納部Ｂに接続する突出ラベルＣを横に並べる（収納箱の正面板や背面板等に沿わせて並べる）事で突出ラベルＣの影響を少なくして、容器上部を収納箱の抑え片１０４で抑えるという公知の方法もある。
【特許文献１】特開２００３−０７０６０６号公報（図２）
【特許文献２】特開２００１−３０１７４７号公報（右段１６〜１７段落，図６，図９）
【発明の開示】
【発明が解決しようとする課題】
【０００４】
しかし、突出ラベルの損傷を防止するために予めラベルを曲げると、店頭で突出ラベルを起こす作業が煩わしく、またその折り目で表示が見苦しくなったり、表示が傾き本来の広告効果が引き出されなかったりする場合がある。また容器デザイン上の制約を受ける場合もある。また振動抑制材料を別途用意する場合には、梱包・開梱の作業が手間となったり、包装部材の在庫管理も煩わしくなったりする。当然廃棄物も増加する。
更に図２３の如く突出ラベル付き容器の突出ラベルＣを横に並べる（収納箱の正面板面に沿わせて並べる）と、通常は商品収納部Ｂの長辺側に突出ラベルＣがある場合が多く、この場合であると収納箱が長くなりすぎてしまい収納個数が多く出来ないといった不都合も生じる。また収納箱を製作するための１枚の大きな板紙（以後「板紙」と称する）から収納箱を切り出す場合、収納箱の上部に蓋１０３以外にも抑え部分１０４を設ける必要が
あることから、板紙からの収納箱取れ率も減少することになりコストアップとなる。
【課題を解決するための手段】
【０００５】
本発明者は上記事情に鑑み、鋭意研究した結果、突出ラベル付き容器の突出ラベルを店頭に陳列する状態で安全に輸送が出来、その収納作業は通常の突出ラベルの無い容器の収納作業と比べても大差ない事を見出し、本発明を完成したものである。
【０００６】
即ち本発明は、商品収納部と商品収納部よりも上方に突出する突出ラベルを有する容器を収納する突出ラベル付き容器収納箱であって、上面開口状の箱本体と、この箱本体の開口部を開閉自在に蓋する蓋体とからなり、蓋体は上記箱本体の上面開口部の一辺から連設され、その先端には箱本体を閉鎖する閉鎖片が連設され、閉鎖片の先端には上記突出ラベルを回避するラベル回避部と突出ラベル付き容器を抑える抑え部とを備えた容器抑え片を有する事を特徴としている。
さらに本発明の突出ラベル付き容器収納箱の蓋体は、突出ラベル付容器の振動を抑える容器抑え片を有しており、常に開蓋方向の力を受ける事になるため、蓋体の閉鎖状態を保持する閉鎖保持手段を有している事が望ましい。該閉鎖保持手段は蓋体と箱本体の胴部とに設けられているのが、梱包作業の容易化や材料の使用効率の面から望ましいが、箱本体の上面開口部の蓋体とは異なる辺にフラップを設置し、該フラップと蓋体とに設けられた閉鎖保持手段であっても良い。
【０００７】
また本発明は、商品収納部と商品収納部よりも上方に突出する突出ラベルを有する容器を収納する突出ラベル付き容器収納箱であって、上面開口状の箱本体と、この箱本体の開口部を開閉自在に蓋する蓋体とからなり、蓋体は上記箱本体の上面開口部の一辺から連設され、その先端には箱本体を閉鎖する閉鎖片が連設され、閉鎖片の先端には上記突出ラベルを回避するラベル回避部と突出ラベル付き容器を抑える抑え部とを備えた容器抑え片を有するとともに容器抑え片の滑り防止片も有する事を特徴としている。
この場合にも、蓋体の閉鎖状態を保持する閉鎖保持手段を有している事が望ましく、該閉鎖保持手段は蓋体と箱本体の胴部とに設けられていてもよいし、箱本体の上面開口部の蓋体とは異なる辺にフラップを設置し、該フラップと蓋体とに設けられた閉鎖保持手段であっても良い。
【発明の効果】
【０００８】
本発明によれば、突出ラベルの逃がし部と突出ラベル付き容器を抑える抑え部とを備えた抑え片により、突出ラベル付き容器は店頭に陳列する状態で梱包され、安全に輸送することが可能である。その際、製造メーカーにおける梱包作業は煩雑とならずに済み、店頭においては開梱してから陳列するための作業が大変容易となる。
また本発明に閉鎖保持手段を併用すれば、蓋体の閉鎖性が向上し、梱包作業時の粘着テープ貼りも省略することができる。当然店頭における開梱作業も容易になる。
更に箱本体の上面開口部には蓋体のみが連接するため、板紙からの取れ率も向上する。
また閉鎖保持手段において、蓋体とは別の辺に閉鎖保持手段を持たせたフラップを設ける事により、梱包作業をさほど煩わす事なく蓋体の閉鎖性をより強固とする事が出来る。
【０００９】
本発明では容器抑え片により容器の振動を抑えることを可能としているが、より大きな振動が発生した場合には、容器抑え片に滑りが生じ、抑え片の効果が無くなってしまうことも予想される。そこで容器抑え片の滑り防止片を設けることにより、容器抑え片の滑りを防ぐことができ、抑え片の効果を失うことがない。
【発明を実施するための最良の形態】
【００１０】
以下、図面に基づき本発明の突出ラベル付き容器収納箱を用いた実施の形態について例を挙げて説明するが、本発明は当実施例に限定されるものではない。
図１〜３は本発明のラベル付き容器収納箱に収納されるラベル付き容器の例を示している。
図１の例では、ラベル付き容器Ａ１は商品収納部Ｂ１と突出ラベルＣ１からなり、突出ラベルＣ１は商品収納部Ｂ１から上方にはみ出す様に形成されている。突出ラベルＣ１には商品名やキャッチコピー等が表示される。
図２の例では、ラベル付き容器Ａ２は商品収納部Ｂ２と突出ラベルＣ２からなり、突出ラベルＣ２は商品収納部Ｂ２から上方にはみ出す様に形成されている。突出ラベルＣ２には店頭における吊下げ陳列にて使用する孔が形成されている。
図３の例では、ラベル付き容器Ａ３は商品収納部Ｂ３に突出ラベルＣ３が貼り付けられおり、突出ラベルＣ３は商品収納部Ｂ３から上方にはみ出す様に貼り付けられている。突出ラベルＣ３には商品名やキャッチコピー等が表示される。
突出ラベル付き容器は図１〜３に示した例のみならず、図１の様な突出ラベル付き容器Ａ１に図３の様な突出ラベルＣ３の様なものを突出ラベルＣ１の反対側に貼り付けた両面広告の様な表示であっても良いし、商品収納部の短辺側に突出ラベルがあっても本発明を利用できる方向で収納するものであれば、突出ラベルの場所には拘らない。また突出ラベルの目的として広告表示や吊下げ用の孔設置の例を挙げたが、突出ラベル自体が任意の形状をポップアップ的に表現したものやその他の機能を持たせたものであっても良い。
【００１１】
図４は本願発明の形態を示した閉蓋状態の斜視図、図５は開蓋状態の斜視図である。箱本体２と蓋体３とからなる突出ラベル付き容器収納箱１の中に、突出ラベル付き容器Ａが３個収納されている。また箱本体２の胴部４の内、側面板４ｂ，４ｃの上方には蓋体の閉鎖性を強固にする閉鎖保持手段としての閉鎖保持孔１２ｂ，１２ｄが形成され、その位置に対応する蓋体の辺には閉鎖保持凸片１１ｂ，１１ｄがそれぞれ設けられている。
【００１２】
図６は突出ラベル付き容器収納箱１の展開図となる。突出ラベル付き容器収納箱１はダンボールシートからなる板紙から切り出した後に組み起こしてなるものであり、図６に示す箱本体２は、背面板４ａ、側面板４ｂ、正面板４ｃ、側面板４ｄが連設してなり、背面板４ａの側片に位置する糊代片４ｅを側面板４ｄに貼り付けることで胴部４が形成される。さらに箱本体２の背面板４ａの下辺に連設した底面板５ａ、側面板４ｂの下辺に連設したフラップ５ｂ、正面板４ｃの下辺に連接した底面板５ｃ、側面板４ｄの下辺に連接したフラップ５ｄから底部閉鎖部５が形成されていて、扁平状態とした箱本体２を角筒状に起こす事で低部閉鎖部５が自動的に組み起こされるようにした公知のオートロック機構を構成している。
【００１３】
また本発明の突出ラベル付き容器収納箱１は、上記箱本体２の上面開口部を蓋体３にて開閉できるようにしている。前記蓋体３は背面板４ａの上辺に連接された蓋板６を備えており、蓋板６の先端には、箱本体２の開口部を閉鎖するための閉鎖片７が連接され、閉鎖片７の先端には突出ラベル付き容器Ａの商品収容部Ｂを抑える抑え部９と該突出ラベルＣを回避するためのラベル回避部１０とを有する容器抑え片８が連接されている。
【００１４】
蓋体３は、組み起こされた箱本体２の上面開口部を閉鎖する方向へ、背面板４ａと蓋板６の境界線を折り、次に蓋板６と閉鎖片７との境界線を折り曲げ、最後は閉鎖片７と容器抑え片８との境界線を折り曲げる。図５に示すようにこの実施例では３つの突出ラベル付き容器Ａが収納され、蓋体３を閉じることにより容器抑え片８のラベル回避部１０が突出ラベルＣを回避し、抑え部９が商品収容部Ｂを抑えることが出来る。
【００１５】
突出ラベル付き容器Ａの商品収容部Ｂの高さ、突出ラベルＣの高さが変更となる場合に
は、それらの寸法に合わせて閉鎖片７の長さや箱本体の高さを変更すれば対応可能である。
また突出ラベルの幅が図１に示すように容器の長片幅相当の長さである場合には、ラベル回避部１０を容器抑え片８の長さ分まで伸ばすか、あるいは図７に示す他の実施例１のようにラベル回避部１０を閉鎖片７部まで延長すれば良い。
【００１６】
図４〜７に示す実施例では閉鎖保持手段として、蓋板６の両脇部分に閉鎖保持凸片１１ｂ，１１ｄが、また側面板４ｂ，４ｄには閉鎖保持凸片と相対する位置に閉鎖保持孔１２ｂ，１２ｄがそれぞれ設けられている。
本発明による突出ラベル付き容器収納箱では容器抑え片８により商品収容部Ｂを抑える構造であるため、蓋体には常に商品収容部Ｂからの応力により蓋が開く方向の力が働いている。輸送時の振動により蓋体が開く畏れがあるため、蓋体３と箱本体２とを粘着テープやガムテープ等で保持する方法もあるが、本実施例の如く閉鎖保持手段を設けることにより粘着テープを貼り付ける工数の削減や粘着テープコストの削減にも繋がる。
本閉鎖保持手段についてさらに説明すると、蓋板６，閉鎖片７，容器抑え片８を順じ折り曲げて蓋体３により箱本体２の開口部を閉じた後、蓋板６にある２ケ所の閉鎖保持凸片１１ｂ，１１ｄを側面板４ｂ，４ｄにある閉鎖保持孔１２ｂ，１２ｄに差し込む。これらの作業は、蓋体３を閉めるという従来の一連作業動作の中で実施でき、作業が煩雑になることなく容易に閉鎖状態を強固にすることができる。尚店頭における開梱作業においても、粘着テープを剥がしたり、粘着テープを鋭利なもので切ったり、といった作業や道具を不要とできるため、大変便利である。
本閉鎖保持手段は、箱本体２の胴部４に設けた閉鎖保持孔１２ｂ，１２ｄと蓋体３に設けた閉鎖保持凸片１１ｂ，１１ｄにより構成されており、箱本体２の上面開口部には蓋体２以外のフラップを設けていなことから、梱包作業時に容器抑え片８とフラップとの干渉等を気にする必要がなく、容易に梱包作業を実施することができる。
【００１７】
図８は閉鎖保持手段を別の位置に設置した他の実施例２である。図８の展開図を図９に示す。本例では閉鎖保持凸片１３として蓋板６と閉鎖片７との境界線の中央部分に凸状となる様に切れ目を入れて形成し、閉鎖保持孔１２ｃを正面板４ｃの上方、閉鎖保持凸片１３に相対する位置に形成する。蓋体３を折り曲げて箱本体２の上部開口部を閉鎖すると閉鎖保持凸片１３が凸状に形成されるため、閉鎖保持凸片１３を閉鎖保持孔１２ｃに差し込むことで閉鎖状態を強固にできる。
【００１８】
図１０には本発明の別の実施例３を示す。ここでは突出ラベル付き容器Ａの商品収容部Ｂの形状が略八角柱であり、該容器を２個収納する突出ラベル付き容器収納箱の例である。略八角柱状商品収容部Ｂの八辺の内三辺に跨る突出ラベルＣが存在し、蓋体３の容器抑え片８はラベル回避部１０及び抑え部９を有する。抑え部９は突出ラベルＣの無い五辺分を抑えるように製作しても構わないが、図１０に示すが如く略八角柱状商品収容部Ｂの中央部分のみを抑える様に細く形成すると、容器の突出ラベルＣの向きが図とは反対側を向いた状態で収納されていても対応可能となり便利である。この場合においても閉鎖保持片１１ｂ，１１ｄ及び閉鎖保持孔１２ｂ，１２ｄにより蓋体の閉鎖状態を強固にできる。
【００１９】
図１１には本発明のさらに別の実施例４を示し、図１２は側面方向からの断面図、図１３は展開図を示す。本例では突出ラベル付き容器Ａの商品収容部Ｂの形状が略円柱状であり、該容器を２個収納する突出ラベル付き容器収納箱の例である。商品収容部Ｂの形状が略円柱状であるため、振動等により回転する畏れがある。商品収容部Ｂが回転すると突出ラベルＣも回転することになるため、突出ラベルＣと容器抑え片８（図面ではハッチング処理部分）との干渉を避けるために、容器抑え片８は立体的に構成されている。抑え部９は図１２に示すが如く容器抑え片８をＶ字状に形成した頂点部分となり、ラベル回避部１０は商品収容部Ｂが回転しても突出ラベルＣと抑え片８とが接触しない様な構造としてい
る。
この例に示すように抑え片８が複雑な形状であっても、箱本体２上面に側面板４ｂ，４ｄに連接したフラップがないため梱包作業は容易であり、しかも閉鎖保持手段として閉鎖保持片１１ｂ，１１ｄと閉鎖保持孔１２ｂ，１２ｄとを有するため、閉鎖状態を強固に出来る。
【００２０】
図１４は図６にて示した展開図を板紙より切り出す上でのレイアウト図である。箱本体２の上面開口部には蓋体３以外にフラップがないため、図１４に示す様に反対向きにしたもうひとつの突出ラベル付き容器収納箱と蓋体３部分を互い違いにした状態のレイアウトが可能であり、板紙からの取れ率向上に繋がる。尚、図１０，図１１に示した実施例も同様のレイアウトが可能である。
【００２１】
図１５は、箱本体の上面開口部の蓋体３とは異なる辺に閉鎖保持フラップ１４ｂ，１４ｄを設け、その閉鎖保持フラップ１４ｂ，１４ｄと蓋体３とで閉鎖保持手段とする他の実施例５を示す。図１６はその展開図を示す。
具体的には側面板４ｂの上辺に連接した閉鎖保持フラップ１４ｂ、側面板４ｄの上辺に連接した閉鎖保持フラップ１４ｄを形成し、それぞれの閉鎖保持フラップには各々２つずつの差込片１５ｂ，１５ｂと１５ｄ，１５ｄを形成している。また蓋板６には差込孔１６ｂ，１６ｄを、閉鎖保持フラップ１４ｂ、１４ｄを閉鎖状態の蓋体３に向けて折り曲げた際に差込片１５ｂ，１５ｄが位置する個所に各々２ケ所計４箇所に設ける。
図１５に示す様に蓋体３を突出ラベル付容器の天面を抑えるように閉蓋した後、閉鎖保持フラップ１４ｂを蓋体３側に折り曲げる際、２つの差込片１５ｂを差込孔１６ｂに差し込む。同様に差込片１５ｄも差込孔１６ｄに差し込む。このようにすることにより蓋体３の閉鎖状態が強固となる。
【００２２】
この様に設けた２つの閉鎖保持フラップ１４ｂ，１４ｄは、蓋体３を閉鎖した後に利用する事になるため、蓋体３の閉鎖作業にあたっては横に広げて回避すれば閉鎖作業に支障がなく、容易に実施できる。
尚、これら閉鎖保持フラップの形状や差込片・差込孔の形状は任意に変更可能であり、例えば図１７の他の実施例６に示すように蓋体３に対向する辺に閉鎖保持フラップ１４ｃを設け、閉蓋作業後に当該閉鎖保持フラップ１４ｃに設けた差込片１５ｃと蓋板６に設けた差込孔１６ｃにて閉鎖保持手段を設けても良い。
【００２３】
図１８にはさらに別の実施例７を示し、図１９は閉蓋状態の斜視図、図２０は展開図を示す。本実施例は図４で最初に示した本願発明の実施例の閉鎖片７に連設した容器抑え片８の部分にコの字状に切込みを入れ、閉鎖片７に連設するように容器抑え片の滑り防止片１７を設けている。この例では閉蓋時に閉鎖片７と容器抑え片８を順次折り曲げると容器抑え片の滑り防止片１７が閉鎖片より突出するため、収納箱を背面板４ａ側に傾け突出ラベル付き容器を背面板４ａ側に寄せ、正面板４ｃ側に隙間を作りそこに容器抑え片の滑り防止片１７を差し込むように閉蓋する。
【００２４】
本発明では容器抑え片８が存在することにより突出ラベル付き容器の振動を抑え、突出ラベルの損傷を防ぐが、梱包作業時に閉鎖片７や容器抑え片８の折り曲げが強かったり、輸送時の振動が大きな場合に、図２１に示すように容器抑え片８が横に滑ってしまい突出ラベル付き容器を抑えるという本来の機能を果たさなくなる畏れもある。
容器抑え片の滑り防止片１７はそのような不具合を防ぐものであって、上記のような場合であっても図２２が示すように容器抑え片の滑り防止片１７により容器抑え片８が横に滑ってしまうことを防止するため、容器抑え片８がその機能を失うことがない。従って確実に容器を抑えて突出ラベルを保護するのである。
【００２５】
容器抑え片の滑り防止片１７は、先に図４にて示した例のみならず、その他の実施例１（代表図：図７），２（代表図：図８），３（代表図：図１０），４（代表図：図１１），５（代表図：図１５），６（代表図：図１７）いずれの場合であっても用いる事が可能である。但し他の実施例４（代表図：図１１）については、図１２に示すが如く容器抑え片８の先端が収納箱の蓋体３もしくは背面板４ａに当接するため元々滑りが発生し難い。このような場合にはあえて容器抑え片の滑り防止片１７を設ける必要はない。
また、容器抑え片の滑り防止片１７は実施例７ではコの字状に切り込んだ略長方形状の形状としているが、この形状に限定するものではなく、抑え片形状のように半円状にしても良いし、楕円状、三角形状等でもよく、突出ラベル付き容器と収納箱の間に入って抑え片の滑りを防止出来る機能を有す形状であればどんな形状でも良い。
【産業上の利用可能性】
【００２６】
本発明は突出ラベル付容器収納箱として活用できる他、突出する商品を包装する容器においても利用可能である。本収納箱に用いる材質として本実施例ではダンボールとしていたが、合成樹脂製のシート等にも応用できる。
【図面の簡単な説明】
【００２７】
【図１】突出ラベル付き容器を示す斜視図
【図２】別の突出ラベル付き容器を示す斜視図
【図３】別の突出ラベル付き容器を示す斜視図
【図４】本実施例を示す、突出ラベル付き容器収納箱の閉蓋状態を示す斜視図
【図５】本実施例を示す、突出ラベル付き容器収納箱の開蓋状態を示す斜視図
【図６】本実施例を示す、突出ラベル付き容器収納箱の展開図
【図７】別の実施例１（幅広突出ラベル対応）を示す、突出ラベル付き容器収  納箱の開蓋状態を示す斜視図及び部分拡大図
【図８】別の実施例２（異なる閉鎖保持手段）を示す、突出ラベル付き容器収  納箱の開蓋状態を示す斜視図
【図９】図８の展開図
【図１０】別の実施例３（突出ラベル付き容器形状が八角柱形）を示す、突出ラベル  付き容器収納箱の開蓋状態を示す斜視図
【図１１】別の実施例４（突出ラベル付き容器形状が円柱形）を示す、突出ラベル付  き容器収納箱の開蓋状態を示す斜視図
【図１２】図１１の閉蓋状態における側面断面図
【図１３】図１１の展開図
【図１４】本実施例を示す、突出ラベル付き容器収納箱の板紙におけるレイアウト図
【図１５】別の実施例５（異なる閉鎖保持手段）を示す、突出ラベル付き容器収納箱  の閉蓋過程状態を示す斜視図
【図１６】図１５の展開図
【図１７】別の実施例６（異なる閉鎖保持手段）を示す、突出ラベル付き容器収納箱  の閉蓋状態を示す斜視図
【図１８】別の実施例７（容器抑え片の滑り防止片付き）を示す、突出ラベル付き容  器収納箱の開蓋状態を示す斜視図
【図１９】別の実施例７（容器抑え片の滑り防止片付き）を示す、突出ラベル付き容  器収納箱の閉蓋状態を示す斜視図
【図２０】別の実施例７（容器抑え片の滑り防止片付き）を示す、突出ラベル付き容  器収納箱の展開図
【図２１】本発明の容器抑え片に滑りが発生した状態を示す側面断面図
【図２２】別の実施例７（容器抑え片の滑り防止片付き）を示す、突出ラベル付き容  器収納箱の側面断面図
【図２３】公知例を示す斜視図及び部分破断図及び部分拡大図
【図２４】公知例を示す側面断面図
【符号の説明】
【００２８】
１          突出ラベル付容器収納箱
２          箱本体
３          蓋体
４          胴部
４ａ        背面体
４ｂ        側面体
４ｃ        正面体
４ｄ        側面体
４ｅ        糊代片
５          底部閉鎖部
５ａ        底面板
５ｂ        フラップ
５ｃ        底面板
５ｄ        フラップ
６          蓋板
７          閉鎖片
８          容器抑え片
９          抑え部
１０        ラベル回避部
１１ｂ      閉鎖保持凸片
１１ｄ      閉鎖保持凸片
１２ｂ      閉鎖保持孔
１２ｃ      閉鎖保持孔
１２ｄ      閉鎖保持孔
１３        閉鎖保持凸片
１４ｂ      閉鎖保持フラップ
１４ｃ      閉鎖保持フラップ
１４ｄ      閉鎖保持フラップ
１５ｂ      差込片
１５ｃ      差込片
１５ｄ      差込片
１６ｂ      差込孔
１６ｃ      差込孔
１６ｄ      差込孔
１７        容器抑え片の滑り防止片
１００      収納箱（公知例）
１０２      収納箱（公知例）本体
１０３      収納箱（公知例）蓋体
１０４      収納箱（公知例）抑え部
Ａ          突出ラベル付き容器
Ｂ          商品収納部
Ｃ          突出ラベル
【図１】
0004490909.tif 000002
【図２】
0004490909.tif 000003
【図３】
0004490909.tif 000004
【図４】
0004490909.tif 000005
【図５】
0004490909.tif 000006
【図６】
0004490909.tif 000007
【図７】
0004490909.tif 000008
【図８】
0004490909.tif 000009
【図９】
0004490909.tif 000010
【図１０】
0004490909.tif 000011
【図１１】
0004490909.tif 000012
【図１２】
0004490909.tif 000013
【図１３】
0004490909.tif 000014
【図１４】
0004490909.tif 000015
【図１５】
0004490909.tif 000016
【図１６】
0004490909.tif 000017
【図１７】
0004490909.tif 000018
【図１８】
0004490909.tif 000019
【図１９】
0004490909.tif 000020
【図２０】
0004490909.tif 000021
【図２１】
0004490909.tif 000022
【図２２】
0004490909.tif 000023
【図２３】
0004490909.tif 000024
【図２４】
0004490909.tif 000025